(57)【要約】【課題】人物を前後から撮影し、前方から撮影した画像が一方の面側に表現され、後方から撮影した画像が他方の面側に表現される意匠性の高い印画物を製造する。【解決手段】撮影システムは、被撮影者を前方及び後方から撮影し、前方から撮影した第１撮影画像及び後方から撮影した第２撮影画像を生成する撮影装置と、前記第１撮影画像から正面側人物画像を切り抜き、前記第２撮影画像から背面側人物画像を切り抜く画像処理部と、前記正面側人物画像を用いて第１印画データを生成し、前記背面側人物画像を用いて第２印画データを生成する生成部と、を備える。【選択図】図１
2020017889.tif 000002
【特許請求の範囲】
【請求項１】
被撮影者を前方及び後方から撮影し、前方から撮影した第１撮影画像及び後方から撮影した第２撮影画像を生成する撮影装置と、
前記第１撮影画像から正面側人物画像を切り抜き、前記第２撮影画像から背面側人物画像を切り抜く画像処理部と、
前記正面側人物画像を用いて第１印画データを生成し、前記背面側人物画像を用いて第２印画データを生成する生成部と、
を備える撮影システム。
【請求項２】
カード基材に対し画像を印画するプリンタをさらに備え、
前記プリンタは、前記第１印画データ及び前記第２印画データを用いて、前記カード基材の一方の面側から前記正面側人物画像が視認でき、前記カード基材の他方の面側から前記背面側人物画像が視認できるように印画処理を行うことを特徴とする請求項１に記載の撮影システム。
【請求項３】
前記カード基材は透明基材であることを特徴とする請求項２に記載の撮影システム。
【請求項４】
前記被撮影者の前方側に位置する第１表示部と、
前記被撮影者の後方側に位置する第２表示部と、
をさらに備え、
前記撮影装置が前方側から撮影を行う際は前記第２表示部が所定の色を表示し、
前記撮影装置が後方側から撮影を行う際は前記第１表示部が所定の色を表示することを特徴とする請求項１乃至３のいずれか１項に記載の撮影システム。
【請求項５】
前記撮影装置は、前記被撮影者を前方から撮影する第１撮影部、及び前記被撮影者を後方から撮影する第２撮影部を有することを特徴とする請求項１乃至４のいずれか１項に記載の撮影システム。
【請求項６】
前記第１撮影部及び前記第２撮影部は昇降自在に設けられていることを特徴とする請求項５に記載の撮影システム。
【請求項７】
前記第１撮影部を覆う開閉自在な第１シャッターと、
前記第２撮影部を覆う開閉自在な第２シャッターと、
をさらに備えることを特徴とする請求項５に記載の撮影システム。
【請求項８】
撮影装置が、被撮影者を前方から撮影して第１撮影画像を生成し、前記被撮影者を後方から撮影して第２撮影画像を生成する工程と、
前記第１撮影画像から正面側人物画像を切り抜き、前記第２撮影画像から背面側人物画像を切り抜く工程と、
前記正面側人物画像を用いて第１印画データを生成し、前記背面側人物画像を用いて第２印画データを生成する工程と、
プリンタが、前記第１印画データ及び前記第２印画データを用いて、カード基材の一方の面側から前記正面側人物画像が視認でき、前記カード基材の他方の面側から前記背面側人物画像が視認できるように印画処理を行う工程と、
を備える印画物製造方法。
【発明の詳細な説明】
【技術分野】
【０００１】
本発明は、撮影システム及び印画物製造方法に関する。
【背景技術】
【０００２】
免許証、パスポート、履歴書等に貼付する証明写真を撮影するためのボックス型の写真撮影装置が知られている。写真撮影装置は、人物を撮影し、用途に応じた様々なサイズの写真をプリントして出力する。
【０００３】
また、クロマキー処理により、撮影画像から切り抜いた人物画像にテンプレート画像を合成してプリント出力する写真撮影装置が知られている。利用者は、あらかじめ準備されている様々なテンプレート画像から所望の画像を選択することができる。
【０００４】
従来の写真撮影装置は、前方からのみ人物を撮影するものであり、プリント出力される写真はありふれたものであった。特許文献１には、色々なアングルから人物を撮影できるように異なる角度で異なる場所に複数台のカメラを設置した撮影システムが開示されているが、背面にはスクリーンが設けられ、撮影は前方側からのみ行うものであった。
【先行技術文献】
【特許文献】
【０００５】
【特許文献１】特開２０００−８１６５２号公報
【発明の概要】
【発明が解決しようとする課題】
【０００６】
本発明は、人物を前後から撮影し、前方から撮影した画像が一方の面側に表現され、後方から撮影した画像が他方の面側に表現される意匠性の高い印画物を製造する印画物製造方法を提供することを課題とする。また、本発明は、このような印画物を製造するための撮影を行う撮影システムを提供することを課題とする。
【課題を解決するための手段】
【０００７】
本発明による撮影システムは、被撮影者を前方及び後方から撮影し、前方から撮影した第１撮影画像及び後方から撮影した第２撮影画像を生成する撮影装置と、前記第１撮影画像から正面側人物画像を切り抜き、前記第２撮影画像から背面側人物画像を切り抜く画像処理部と、前記正面側人物画像を用いて第１印画データを生成し、前記背面側人物画像を用いて第２印画データを生成する生成部と、を備えるものである。
【０００８】
本発明の一態様による撮影システムは、カード基材に対し画像を印画するプリンタをさらに備え、前記プリンタは、前記第１印画データ及び前記第２印画データを用いて、前記カード基材の一方の面側から前記正面側人物画像が視認でき、前記カード基材の他方の面側から前記背面側人物画像が視認できるように印画処理を行う
【０００９】
本発明の一態様による撮影システムにおいて、前記カード基材は透明基材である。
【００１０】
本発明の一態様による撮影システムは、前記被撮影者の前方側に位置する第１表示部と、前記被撮影者の後方側に位置する第２表示部と、をさらに備え、前記撮影装置が前方側から撮影を行う際は前記第２表示部が所定の色を表示し、前記撮影装置が後方側から撮影を行う際は前記第１表示部が所定の色を表示する。
【００１１】
本発明の一態様による撮影システムにおいて、前記撮影装置は、前記被撮影者を前方から撮影する第１撮影部、及び前記被撮影者を後方から撮影する第２撮影部を有する。
【００１２】
本発明の一態様による撮影システムにおいて、前記第１撮影部及び前記第２撮影部は昇降自在に設けられている。
【００１３】
本発明の一態様による撮影システムは、前記第１撮影部を覆う開閉自在な第１シャッターと、前記第２撮影部を覆う開閉自在な第２シャッターと、をさらに備える。
【００１４】
本発明による印画物製造方法は、撮影装置が、被撮影者を前方から撮影して第１撮影画像を生成し、前記被撮影者を後方から撮影して第２撮影画像を生成する工程と、前記第１撮影画像から正面側人物画像を切り抜き、前記第２撮影画像から背面側人物画像を切り抜く工程と、前記正面側人物画像を用いて第１印画データを生成し、前記背面側人物画像を用いて第２印画データを生成する工程と、プリンタが、前記第１印画データ及び前記第２印画データを用いて、カード基材の一方の面側から前記正面側人物画像が視認でき、前記カード基材の他方の面側から前記背面側人物画像が視認できるように印画処理を行う工程と、を備えるものである。
【発明の効果】
【００１５】
本発明によれば、人物を前後から撮影し、前方から撮影した画像が一方の面側に表現され、後方から撮影した画像が他方の面側に表現される意匠性の高い印画物を製造できる。
【図面の簡単な説明】
【００１６】
【図１】本発明の実施形態に係る印画物製造装置の斜視図である。
【図２】同実施形態に係る印画物製造装置の筐体の斜視図である。
【図３】同実施形態に係る印画物製造装置の筐体の斜視図である。
【図４】同実施形態に係る印画物製造装置のブロック構成図である。
【図５】演算制御装置の概略構成図である。
【図６】印画物製造プログラムの実行により実現される機能ブロック図である。
【図７】（ａ）は製造される印画物の表面側の平面図であり、（ｂ）は裏面側の平面図である。
【図８】（ａ）〜（ｃ）は別の実施形態に係る撮影システムの概略構成図である。
【発明を実施するための形態】
【００１７】
以下、本発明の実施の形態を図１〜図７を用いて説明する。図１は本発明の実施形態に係る印画物製造装置の斜視図である。印画物製造装置は、筐体１，２、天井部３、及びカーテン４を備え、ユーザを前後から撮影し、撮影画像から人物画像を切り抜き、前方から撮影した人物画像をカード基材の表面、後方から撮影した人物画像をカード基材の裏面にプリントして印画物を製造するものである。図２は前方側の筐体１の斜視図である。図３は後方側の筐体２の斜視図である。図４は印画物製造装置のブロック構成図である。
【００１８】
筐体２は、筐体１の正面１ａと対向して設置され、筐体１と筐体２との間の空間が撮影空間となる。撮影空間に出入りするための出入口にカーテン４が取り付けられ、撮影を行う際に外部からの光を遮断するようになっている。筐体１と筐体２とは上部同士が天井部３により連結されている。
【００１９】
筐体１には撮影部１１が設けられている。撮影部１１は、例えばデジタルカメラである。撮影部１１は、撮影空間内で立っているユーザの顔の高さに対応する位置に設けられている。撮影部１１は、撮影窓（図示略）を介して撮影を行う。撮影窓は、筐体１の壁面に開口部を設け、この開口部にハーフミラーガラス又は透明ガラスを嵌め込むことにより形成される。ハーフミラーガラスは、撮影空間からの光を筐体内へ透過するが、筐体内からの光は撮影空間へほとんど透過しないように構成されている。そのため、撮影空間側から、撮影部１１を視認し難くなっている。一方、透明ガラスを嵌め込む場合は、撮影部１１のレンズが視認できるようになり、ユーザの視線をレンズに向けさせ易くなる。
【００２０】
撮影部１１（撮影窓）を囲むようにタッチパネル１２が設けられている。例えば、撮影部１１の上方に位置するタッチパネル１２ａ、撮影部１１の左右に位置するタッチパネル１２ｂ、１２ｃが設けられている。タッチパネル１２は、操作ボタンを表示してユーザからの指示受付部として機能すると共に、プレビュー画面等を表示する表示部として機能する。
【００２１】
筐体１の上部には、撮影空間に光を照射する上側照明部１４が設けられている。上側照明部１４は定常光を発光する照明手段であり、例えば複数のＬＥＤ電球と、ＬＥＤ電球を覆う拡散板とを有する。ＬＥＤ電球からの光は、拡散板により拡散されて撮影空間に照射される。
【００２２】
筐体１の下部の正面（撮影空間に対向する面）の左右両側に、撮影空間に光を照射する下側照明部１５が設けられている。下側照明部１５は定常光を発光する照明手段であり、例えば複数のＬＥＤ電球と、ＬＥＤ電球を覆う拡散板とを有する。ＬＥＤ電球からの光が、拡散板により拡散されて撮影空間に照射される。
【００２３】
筐体１の内部にはプリンタ１３（図４参照）が配置されている。左右の下側照明部１５，１５の間には、開閉扉１８が開閉自在に設けられている。開閉扉１８を開けると、プリンタ１３がプリント出力した印画物を取り出せるようになっている。
【００２４】
図示は省略するが、筐体１には、撮影空間内にユーザが入ってきたことを検知する入室センサや、音声を出力するスピーカ等が設けられている。また、貨幣の投入口や釣銭出金口等を含む課金部が設けられていてもよい。
【００２５】
筐体２には撮影部２１が設けられている。撮影部２１は、例えばデジタルカメラである。撮影部２１は、撮影空間内で立っているユーザの顔の高さに対応する位置に設けられている。撮影部２１は、撮影窓（図示略）を介して撮影を行う。
【００２６】
撮影部２１（撮影窓）を囲むようにディスプレイ２２が設けられている。例えば、撮影部２１の上方に位置するディスプレイ２２ａ、撮影部２１の左右に位置するディスプレイ２２ｂ、２２ｃが設けられている。
【００２７】
筐体２の上部には、撮影空間に光を照射する上側照明部２４が設けられている。筐体２の下部には、撮影空間に光を照射する下側照明部２５が設けられている。上側照明部２４及び下側照明部２５は、それぞれ、定常光を発光する照明手段であり、例えば複数のＬＥＤ電球と、ＬＥＤ電球を覆う拡散板とを有する。
【００２８】
図４に示すように、筐体１の内部にはコンピュータ等からなる演算制御装置１０が設けられている。図５に、演算制御装置１０のハードウェア構成を示す。演算制御装置１０は、ＣＰＵ（中央演算処理部）１００、メインメモリ１０２、ディスク装置１０４、及び入出力部１０６を有する。
【００２９】
ディスク装置１０４は、例えばハードディスクドライブであり、制御プログラム１１０及び印画物製造プログラム１１２を格納する。
【００３０】
ＣＰＵ１００が、ディスク装置１０４内の制御プログラム１１０をメインメモリ１０２にロードして実行することで、印画物製造装置の各部の制御やデータの受け渡しを行う制御部として機能する。制御部は、照明部１４，１５，２４，２５のＬＥＤ電球のオンオフを個別に制御し、光量を調整することができる。
【００３１】
ＣＰＵ１００がメインメモリ１０２にロードされた印画物製造プログラム１１２を実行することで、図６に示すように、画像処理部１２０、券面画像生成部１２２、及びプリント指示部１２４が実現される。各部の機能は後述する。
【００３２】
次に、この印画物製造装置を用いた印画物製造処理について説明する。印画物製造装置の待機時、制御部は、上側照明部１４のＬＥＤ電球の一部を点灯させ、下側照明部１５、上側照明部２４，２５は消灯する。これにより、ユーザは、印画物製造装置が稼働中であることが分かる。
【００３３】
入室センサが、撮影空間内にユーザが入ってきたことを検知すると、制御部は下側照明部１５のＬＥＤ電球の一部をさらに点灯させる。そして、制御部は、タッチパネル１２及びスピーカ（図示略）によるガイダンスを開始する。
【００３４】
必要に応じて課金処理を行った後、ユーザの撮影を開始する。撮影処理では、まず、撮影部１１がユーザを前方（正面）から撮影する。このとき、上側照明部１４及び下側照明部１５のＬＥＤ電球の点灯数を増やし、光量を増加させる。ＬＥＤ電球の点灯数は、撮影空間の広さや、撮影部１１の撮影条件（ＩＳＯ感度、絞り、シャッタースピード等）に応じて決定することが好ましい。後方側の上側照明部２４及び下側照明部２５は消灯している。
【００３５】
また、撮影部１１が撮影を行うにあたり、ユーザの背中側に位置するディスプレイ２２の全面に、クロマキー合成に適した色、例えば緑色や青色を表示する。これにより、撮影部１１による撮影画像の背景色を緑や青にすることができる。撮影部１１は、撮影画像データを演算制御装置１０へ出力する。
【００３６】
撮影部１１による撮影処理後、撮影部２１がユーザを後方（背面）から撮影する。このとき、上側照明部１４及び下側照明部１５を消灯し、上側照明部２４及び下側照明部２５を点灯させて、ユーザに後方から光をあてる。また、ユーザの正面側に位置するタッチパネル２２の全面に、クロマキー合成に適した色、例えば緑色や青色を表示する。これにより、撮影部２１による撮影画像の背景色を緑や青にすることができる。撮影部２１は、撮影画像データを演算制御装置１０へ出力する。
【００３７】
演算制御装置１０の画像処理部１２０は、クロマキー処理を行い、撮影画像内の人物（ユーザ）と背景色（ディスプレイ表示色）との色差を判別し、撮影画像から人物画像を切り抜く。ここで判別される色差とは、色相差、彩度差、又は色相差及び彩度差の組み合わせである。
【００３８】
例えば、画像処理部１２０は、撮影部１１による撮影画像から正面側人物画像を切り抜き、撮影部２１による撮影画像から背面側人物画像を切り抜く。
【００３９】
券面画像生成部１２２は、人物画像と、所定のテンプレート画像や、タッチパネル１２を介してユーザから入力された情報等を用いて、カード基材にプリントする券面画像を生成する。例えば、券面画像生成部１２２は、正面側人物画像を用いてカード基材の表面側にプリントする券面画像を含む表面印画データを生成し、背面側人物画像を用いてカード基材の裏面側にプリントする券面画像を含む裏面印画データを生成する。券面画像生成部１２２は、券面画像がプリントされたカード基材において、正面側人物画像の裏側に背面側人物画像が位置するように券面画像を生成する。
【００４０】
生成された券面画像はタッチパネル１２に表示される。ユーザが、表示された券面画像を確認し、承認ボタンを押すと、プリント指示部１２４が、入出力部１０６を介して、表面印画データ及び裏面印画データをプリンタ１３へ転送する。
【００４１】
ユーザからの要求に応じて、再撮影を行ってもよい。
【００４２】
図７（ａ）（ｂ）に示すように、プリンタ１３は、表面印画データをカード６の表面６ａに印画するとともに、裏面印画データをカード６の裏面６ｂに印画する。
【００４３】
表面印画データおよび裏面印画データをカード６の表面６ａおよび裏面６ｂに印画するための具体的な方法は特に限られることはなく、様々な方法が適宜用いられ得る。
【００４４】
カード６の表面６ａに表面印画データを印画する表面用プリンタ（図示せず）と、カード６の裏面６ｂに裏面印画データを印画する裏面用プリンタ（図示せず）とが設けられていてもよい。
【００４５】
印画データをカード６に印画するための方式は特に限られることはなく、溶融転写方式、昇華転写方式、中間転写記録方式など様々な方式を適宜（組み合わせて）用いることができる。カード６の材料は特に限定されない。
【００４６】
ユーザは、開閉扉１８を開けて印画物（カード６）を取得できる。
【００４７】
このように、本実施形態によれば、ユーザを前後から撮影し、前方から撮影した正面側人物画像が表面に表現され、後方から撮影した背面側人物画像が裏面に表現されるカード６を製造できる。正面側人物画像の裏側に背面側人物画像が位置しているため、カード６内にユーザが入り込んだような面白味のあるカード６となる。
【００４８】
上記実施形態において、撮影部１１と撮影部２１とはユーザを介して対向する位置に設けられているため、一方の撮影部でユーザを撮影する際に他方の撮影部が写り込むことが防止できる。撮影画像に他方の撮影部が写り込んだ場合は、画像処理により撮影部を消去できる。
【００４９】
撮影部１１の撮影窓、撮影部２１の撮影窓を覆うシャッターが設けられていてもよい。シャッターは、タッチパネル１２、ディスプレイ２２の表示と同じ緑色や青色である。一方の撮影部でユーザを撮影する際に、他方の撮影部のシャッターを閉める。これにより、撮影部の写り込みを防止できる。
【００５０】
図８（ａ）に示すように、ユーザの前方側の撮影部１１Ａ、後方側の撮影部２１Ａが天井部３から昇降自在に吊り下げられていてもよい。一方の撮影部が下降して撮影を行うとき、他方の撮影部は上昇して撮影画像に写り込むことを防止する。
【００５１】
図８（ｂ）に示すように、ユーザの周囲を回転（周回）する１台の撮影部１１Ｂを設け、ユーザを前方側から撮影した後、ユーザの後方へ回り込み、ユーザを後方側から撮影してもよい。
【００５２】
図８（ｃ）に示すように、回転自在なステージＳ上にユーザが立ち、１台の撮影部（図示略）でユーザを前方側から撮影した後、ステージＳが１８０°回転し、同じ撮影部でユーザを後方側から撮影してもよい。
【００５３】
ユーザを長時間静止させることは困難であるため、図８（ａ）に示す構成では、撮影部１１Ａ、２１Ａを速やかに昇降させることが求められ、図８（ｂ）に示す構成では、撮影部１１Ｂを速やかに移動させることが求められる。図８（ｃ）に示す構成では、ステージＳの回転によりユーザが動いてしまうことがあり得る。従って、上記実施形態のように、ユーザの前後に撮影部１１及び撮影部２１を設け、一方の撮影部でユーザを撮影した画像に他方の撮影部が写り込まないようにする構成がより好ましい。
【００５４】
上記実施形態において、ユーザの背面側のディスプレイ２２の代わりに、ユーザの背面側で昇降するスクリーンを設けてもよい。スクリーンは、クロマキー合成に適した緑色や青色である。撮影部１１の撮影の際にスクリーンが下降し、撮影部２１の撮影の際はスクリーンが上昇する。
【００５５】
また、ユーザの正面側で昇降するスクリーンを設けてもよい。撮影部２１の撮影の際にスクリーンが下降し、撮影部１１の撮影の際はスクリーンが上昇する。この場合、筐体１に設けるタッチパネル１２のサイズを小さくできる。
【００５６】
プリンタ１３で印画データを印画するカード６は、ＰＥＴフィルム等からなる透明基材でもよい。例えば、透明基材の一方の面に第１受容層を設け、イエロー、マゼンタ、シアンの３色の色材層が面順次に設けられた熱転写シートと第１受容層とを対向させて重ね、裏面印画データに基づいて熱転写シートを加熱し、第１受容層に背面側人物画像を形成する。
【００５７】
続いて、第１受容層上に白色隠蔽層及び第２受容層を順に転写・積層する。白色隠蔽層は、白色顔料とバインダー樹脂から構成される。白色顔料は、酸化チタン等を用いることができる。白色隠蔽層は人物画像領域に合わせて転写することが好ましい。
【００５８】
次に、上述の熱転写シートと第２受容層とを対向させて重ね、表面印画データに基づいて熱転写シートを加熱し、第２受容層に正面側人物画像を形成する。その後、正面側人物画像を覆うように、基材全面に保護層を形成する。
【００５９】
このようにして形成されたカード６では、透明基材の他方の面側から背面側人物画像を視認（観察）することができ、透明基材の一方の面側から正面側人物画像を視認することができる。透明基材を使用することで、カード６の人物画像に立体感を持たせることができる。
【００６０】
透明基材の一方の面に第１受容層を設け、他方の面に白色隠蔽層及び第２受容層を順に設け、第１受容層に正面側人物画像（又は背面側人物画像）を形成し、第２受容層に背面側人物画像（又は正面側人物画像）を形成してもよい。
【００６１】
正面側人物画像が形成された中間転写媒体の第１受容層を透明基材の一方の面に転写し、転写された第１受容層上に白色隠蔽層を形成し、白色隠蔽層上に、背面側人物画像が形成された中間転写媒体の第２受容層を転写してもよい。
【００６２】
中間転写媒体の第１受容層に正面側人物画像を形成し、第１受容層上に白色隠蔽層及び第２受容層を順に転写し、続いて第２受容層に背面側人物画像を形成した後、中間転写媒体から第１受容層、白色隠蔽層及び第２受容層を透明基材の一方の面にまとめて転写してもよい。
【００６３】
プリンタ１３は、透明基材を検知し、画像の印画位置を調整できるように、ＵＶセンサや接触型センサを有することが好ましい。
【００６４】
正面側人物画像と背面側人物画像との位置、形状が合うように、撮影部１１、２１で連写をして複数の撮影画像を生成し、正面側と背面側とで好適な人物画像を選択してもよい。
【００６５】
上記実施形態では、ユーザの前方の筐体１、後方の筐体２に照明部を設ける例について説明したが、天井部３や床に照明部を設けてもよい。照明部は、定常光を照射するものでなく、ストロボでもよい。
【００６６】
タッチパネルやディスプレイの数、形状、位置は、上記実施形態で説明したものに限定されない。例えば、筐体１に、タッチパネルと、タッチ機能のないディスプレイとを設けてもよい。
【００６７】
上記実施形態では、筐体１にタッチパネル１２を設けていたが、タッチ機能のないディスプレイと、マウスやボタン等の入力部とを備えた構成としてもよい。
【００６８】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６９】
１，２  筐体
３  天井部
４  カーテン
１１  撮影部
１２  タッチパネル
１４，１５  照明部
２１  撮影部
２２  ディスプレイ
２４，２５  照明部
【図１】
2020017889.tif 000003
【図２】
2020017889.tif 000004
【図３】
2020017889.tif 000005
【図４】
2020017889.tif 000006
【図５】
2020017889.tif 000007
【図６】
2020017889.tif 000008
【図７】
2020017889.tif 000009
【図８】
2020017889.tif 000010